(57)【要約】【課題】温度センサを保護することが可能な冷却貯蔵庫を提供する。【解決手段】貯蔵室１２と、貯蔵室１２と隣り合う冷却器室１３と、を有する箱体１１と、冷却器室１３内に収容された冷却器２１と、冷却器２１を覆うと共に冷却器室１３を構成する壁部の少なくとも一部となる冷却器カバー３０であって、貯蔵室１２の空気を冷却器室１３に導入することが可能な吸込口３２Ａを有する冷却器カバー３０と、吸込口３２Ａに対して貯蔵室１２側に配される温度センサ５０と、温度センサ５０を貯蔵室１２側から覆う形で冷却器カバー３０に取り付けられる温度センサカバー６０と、を備え、温度センサカバー６０は、通気孔６１Ａと、温度センサ５０が嵌合される嵌合凹部６５Ａと、を有することに特徴を有する。【選択図】図６
2018204836.tif 000002
【特許請求の範囲】
【請求項１】
貯蔵室と、前記貯蔵室と隣り合う冷却器室と、を有する箱体と、
前記冷却器室内に収容された冷却器と、
前記冷却器を覆うと共に前記冷却器室の壁部の少なくとも一部を構成する冷却器カバーであって、前記貯蔵室の空気を前記冷却器室に導入することが可能な吸込口を有する冷却器カバーと、
前記吸込口に対して前記貯蔵室側に配される温度センサと、
前記温度センサを前記貯蔵室側から覆う形で前記冷却器カバーに取り付けられる温度センサカバーと、を備え、
前記温度センサカバーは、通気孔と、前記温度センサを保持する保持部と、を有する冷却貯蔵庫。
【請求項２】
前記温度センサカバーは、
前記吸込口と対向配置されると共に、前記通気孔を有するカバー本体部を備え、
前記カバー本体部における前記吸込口側の面には、リブが形成され、
前記保持部は、前記温度センサが嵌合される嵌合凹部とされ、
前記嵌合凹部は、前記リブに形成されると共に、前記吸込口側に開口されており、
前記温度センサは、前記リブと前記冷却器カバーとの間に挟持されている請求項１に記載の冷却貯蔵庫。
【請求項３】
前記温度センサカバーは、
前記冷却器カバーにおける前記吸込口の孔縁部に対して、前記冷却器室側から係止する係止爪を備える請求項１又は請求項２に記載の冷却貯蔵庫。
【請求項４】
前記温度センサカバーは、結束バンドを挿通することが可能な挿通孔を有しており、
前記温度センサから引き出された配線が、前記挿通孔に挿通された前記結束バンドによって前記温度センサカバーに対して結束されている請求項１から請求項３のいずれか１項に記載の冷却貯蔵庫。
【発明の詳細な説明】
【技術分野】
【０００１】
本発明は、冷却貯蔵庫に関する。
【背景技術】
【０００２】
従来、冷却貯蔵庫として、下記特許文献１に記載のものが知られている。下記特許文献１のものでは、貯蔵室（庫内）の温度を検知するための温度センサ（温度検知器）を備え、温度センサの検知温度に基づいて冷凍装置を駆動させることで貯蔵室の温度を制御する構成となっている。
【先行技術文献】
【特許文献】
【０００３】
【特許文献１】特開２００４−６９１８０号公報
【発明の概要】
【発明が解決しようとする課題】
【０００４】
上記温度センサによって、貯蔵室の温度を確実に検知するためには、貯蔵室により近い箇所に温度センサを配置することが好ましい。しかしながら、温度センサを貯蔵室に近づけて配置すると、貯蔵室に配された貯蔵物から温度センサを保護する必要性が生じる。例えば、貯蔵室に食品を貯蔵した場合には、食品の汁が温度センサにかかり、温度センサの感度が低下してしまう事態が懸念される。
【０００５】
本発明は上記のような事情に基づいて完成されたものであって、温度センサを保護することが可能な冷却貯蔵庫を提供することを目的とする。
【課題を解決するための手段】
【０００６】
上記課題を解決するために、本発明の冷却貯蔵庫は、貯蔵室と、前記貯蔵室と隣り合う冷却器室と、を有する箱体と、前記冷却器室内に収容された冷却器と、前記冷却器を覆うと共に前記冷却器室の壁部の少なくとも一部を構成する冷却器カバーであって、前記貯蔵室の空気を前記冷却器室に導入することが可能な吸込口を有する冷却器カバーと、前記吸込口に対して前記貯蔵室側に配される温度センサと、前記温度センサを前記貯蔵室側から覆う形で前記冷却器カバーに取り付けられる温度センサカバーと、を備え、前記温度センサカバーは、通気孔と、前記温度センサを保持する保持部と、を有することに特徴を有する。温度センサカバーを備えることで温度センサを保護することができる。例えば、貯蔵室内の食材の汁が温度センサにかかる事態を抑制できる。また、温度センサを保持する保持部を有することから、温度センサを温度センサカバーに対して位置決めすることができる。
【０００７】
また、前記温度センサカバーは、前記吸込口と対向配置されると共に、前記通気孔を有するカバー本体部を備え、前記カバー本体部における前記吸込口側の面には、リブが形成され、前記保持部は、前記温度センサが嵌合される嵌合凹部とされ、前記嵌合凹部は、前記リブに形成されると共に、前記吸込口側に開口されており、前記温度センサは、前記リブと前記冷却器カバーとの間に挟持されているものとすることができる。嵌合凹部に温度センサを嵌合させた後、温度センサカバーを冷却器カバーに取り付けることで、温度センサを挟持することができる。
【０００８】
また、前記温度センサカバーは、前記冷却器カバーにおける前記吸込口の孔縁部に対して前記冷却器室側から係止する係止爪を備えるものとすることができる。係止爪を備えることで、温度センサカバーを冷却器カバーに対して容易に取り付けることができる。
【０００９】
また、前記温度センサカバーは、結束バンドを挿通することが可能な挿通孔を有しており、前記温度センサから引き出された配線が、前記挿通孔に挿通された前記結束バンドによって前記温度センサカバーに対して結束されているものとすることができる。配線を温度センサカバーに固定した状態で、温度センサカバーを冷却器カバーに取り付けることができる。
【発明の効果】
【００１０】
本発明によれば、温度センサを保護することが可能な冷却貯蔵庫を提供することができる。
【図面の簡単な説明】
【００１１】
【図１】本発明の一実施形態に係るショーケースを示す正面図
【図２】ショーケースを示す斜視図（スライド扉を取り外した状態）
【図３】ショーケースを示す斜視図（ダクト部材のダクト前壁部を省略した図）
【図４】冷却器カバーを及び温度センサカバーを示す斜視図
【図５】冷却器室付近を概略的に示す断面図
【図６】温度センサカバーを裏側から視た斜視図
【図７】冷却器カバーに対する温度センサカバーの取付構造を示す斜視図
【図８】図５において温度センサカバー付近を拡大した断面図
【発明を実施するための形態】
【００１２】
本発明の一実施形態を図１から図８によって説明する。本実施形態では、冷却貯蔵庫として、冷蔵用のショーケース１０を例示する。図１及び図２に示すように、ショーケース１０は、前側に開口された開口部１１Ａを有する箱体１１を備える。なお、図１は、ショーケース１０を正面側（前側）から視た図である。箱体１１は、例えばステンレス鋼板からなる外箱及び内箱の間に、発泡樹脂からなる断熱材が発泡充填されることで構成されている。箱体１１は、貯蔵室１２、冷却器室１３（図５参照）、及び機械室１６を構成するものとされる。貯蔵室１２は、箱体１１の内部空間の大部分を占める空間であり、開口部１１Ａと連通されている。
【００１３】
開口部１１Ａは、図１に示すように、左右方向に配列された一対のスライド扉１４，１４によって覆われている。一対のスライド扉１４，１４は、箱体１１に対してそれぞれが左右方向についてスライド移動可能に設けられている。これにより、スライド扉１４，１４の各々をスライド移動させることで、開口部１１Ａを開閉可能となっている。また、図２に示すように、貯蔵室１２内には、貯蔵物を載置することが可能な棚網１５が設けられている。機械室１６は、図３に示すように、冷却器室１３の下方に配されている。機械室１６内には、圧縮機１７、凝縮器１８等からなる冷凍装置１９と、電装箱２０等が設置されている。機械室１６は、図２に示すように、フロントパネル１６Ａによって前側から覆われる構成となっている。
【００１４】
冷却器室１３は、貯蔵室１２と隣り合う形で配されており、具体的には、図５に示すように、箱体１１内において貯蔵室１２の下方（且つ機械室１６の上方）に配されている。なお、図５の左側がショーケース１０の前側であり、右側がショーケース１０の後側である。冷却器室１３には、冷却器２１及び冷却器ファン２２が収容されている。貯蔵室１２と冷却器室１３とは、冷却器２１を覆う冷却器カバー３０によって仕切られている。冷却器カバー３０は、冷却器２１を覆うと共に冷却器室１３の壁部の一部を構成するものである。
【００１５】
冷却器カバー３０は、図４に示すように、貯蔵室１２の底壁部を構成するカバー上壁部３１と、カバー上壁部３１の前端部から下方に延びるカバー前壁部３２と、を備える。カバー前壁部３２には、前後方向に貫通する複数の吸込口３２Ａが形成されている。カバー前壁部３２において、複数の吸込口３２Ａの形成箇所は格子状をなす格子部３４とされる。吸込口３２Ａは、貯蔵室１２の空気を冷却器室１３に導入することが可能となっている。カバー上壁部３１の後端部には、上下方向に貫通する吹出口３１Ａが形成されている。冷却器２１は、上記した冷凍装置１９と冷媒配管（図示せず）により循環接続されることで、周知の冷凍回路を構成する。
【００１６】
貯蔵室１２において、カバー前壁部３２の前方には、ダクト部材４０が配されている。ダクト部材４０は、図５に示すように、カバー上壁部３１の前方に連なる形で配されるダクト上壁部４１と、ダクト上壁部４１の前端部から下方に延びるダクト前壁部４２と、を備える。ダクト上壁部４１には、上下方向に貫通する吸込口４１Ａが形成されている。吸込口４１Ａは、図４に示すように、前後方向に長い形状をなし、左右方向に沿って複数配列されている。なお、図４では、ダクト前壁部４２を図示省略している。ダクト前壁部４２は、カバー前壁部３２に対して、前後方向に距離を空けて対向配置されている。また、ダクト上壁部４１の後端部には下方に延びる延設壁部４３が設けられている。延設壁部４３が、冷却器カバー３０のカバー前壁部３２に形成された溝部３２Ｄに嵌合されることで、ダクト部材４０に対して冷却器カバー３０が固定されている。
【００１７】
圧縮機１７及び冷却器ファン２２が駆動すると、貯蔵室１２内の空気が、吸込口４１Ａ、ダクト前壁部４２とカバー前壁部３２の間の空間Ｓ１（通気路）、吸込口３２Ａを経由して冷却器室１３内に吸引され（空気の流れを図５の矢線Ｆ１で示す）、冷却器２１を通過する過程で熱交換により冷やされた後、吹出口３１Ａから貯蔵室１２内に吹き出される（空気の流れを図５の矢線Ｆ２で示す）。このような空気の流れが循環することで、貯蔵室１２内が冷却されるようになっている。
【００１８】
冷却器カバー３０の吸込口３２Ａ付近には、温度センサ５０が設けられている。温度センサ５０は、吸込口３２Ａに対して貯蔵室１２側（図５では左側）に配され、冷却器室１３内に吸引される空気の温度（貯蔵室１２内の温度）を検知することが可能となっている。温度センサ５０から引き出された配線５１は、図４の一点鎖線で示すようにカバー前壁部３２の切欠部３２Ｂを通過した後、機械室１６の電装箱２０内の制御部（図示せず）に接続されている。制御部は、温度センサ５０の検知温度に基づいて、冷凍装置１９を駆動することで、貯蔵室１２の温度が設定温度範囲内となるように制御する。なお、温度センサ５０としては、例えばサーミスタを用いることができるが、これに限定されない。
【００１９】
温度センサ５０は、図５に示すように、冷却器カバー３０に取り付けられる温度センサカバー６０によって貯蔵室１２側から覆われている。温度センサカバー６０は、図８に示すように、吸込口３２Ａと対向配置されるカバー本体部６１と、カバー本体部６１の上端部から冷却器室１３側に延びるカバー上壁部６２と、を備える。カバー本体部６１には、前後方向に貫通する複数の通気孔６１Ａが形成されている。これにより、吸込口４１Ａから吸引された貯蔵室１２内の空気の一部が、通気孔６１Ａを通じてカバー本体部６１の裏側に侵入することができ、温度センサ５０によって、その空気の温度を検知することができる。なお、カバー本体部６１において、複数の通気孔６１Ａの形成箇所は格子状をなしている。
【００２０】
また、温度センサカバー６０は、カバー本体部６１から吸込口３２Ａ側に延びる形状をなす一対の係止爪６３，６４を備える。一対の係止爪６３，６４は、上下方向に間隔を空ける形で対向配置されており、それぞれ上下方向に弾性的に撓み変形が可能となっている。係止爪６３の先端部６３Ａは上方に突出する形状をなし、係止爪６４の先端部６４Ａは下方に突出する形状をなしている。一対の係止爪６３，６４は、図７及び図８に示すように、冷却器カバー３０における吸込口３２Ａの孔縁部（吸込口３２Ａを構成する格子部３４）に対して、冷却器室１３側（図８の右側）から係止する構成となっている。
【００２１】
図６に示すように、上側の係止爪６３は、カバー上壁部６２に設けられ、下側の係止爪６４は、カバー本体部６１の下端部に設けられている。また、カバー本体部６１の裏面において係止爪６４と反対側の端部には、ネジ挿通孔６７Ａを有する取付片６７が形成されている。図４に示すように、冷却器カバー３０のカバー前壁部３２の下端には、左右方向に長いフランジ部３３が形成され、取付片６７は、ネジ挿通孔６７Ａに挿通されたネジ６８（図４の破線参照）によって、フランジ部３３にネジ止めされている。
【００２２】
カバー本体部６１は、図６に示すように左右方向に長い方形板状をなしており、カバー本体部６１の裏面（吸込口３２Ａ側の面、冷却器室１３側の面）には、左右方向に並ぶ複数のリブ６５が形成されている。リブ６５の上端は、カバー上壁部６２と連結されており、温度センサカバー６０の剛性をより高くすることができる。リブ６５は、吸込口３２Ａ側に開口された嵌合凹部６５Ａを有する。３つのリブ６５のうち、１つのリブ６５の嵌合凹部６５Ａ（温度センサ５０を保持する保持部）には、温度センサ５０が嵌合されており、残りの２つのリブ６５の嵌合凹部６５Ａには、配線５１が嵌合されている。嵌合凹部６５Ａに嵌合された温度センサ５０は、図８に示すように、カバー前壁部３２の格子部３４とリブ６５との間に挟持されている。
【００２３】
また、カバー本体部６１には、上下方向に並ぶ一対の挿通孔６１Ｂ，６１Ｂが形成され、温度センサ５０から引き出された配線５１は、一対の挿通孔６１Ｂ，６１Ｂに挿通された結束バンド６６によってカバー本体部６１に対して結束されている。また、図示しないが、嵌合凹部６５Ａに嵌合された配線５１は、温度センサ５０と同様に格子部３４によって覆われることで、嵌合凹部６５Ａ内で保持される構成となっている。
【００２４】
次に、本実施形態の効果について説明する。本実施形態によれば、温度センサカバー６０を備えることで温度センサ５０を保護することができる。例えば、貯蔵室１２内の食品の汁などがダクト部材４０の吸込口４１Ａから侵入した場合において、温度センサ５０にかかる事態を抑制できる。また、ダクト部材４０を冷却器カバー３０に取り付ける際に、ダクト部材４０が温度センサ５０に接触する事態を抑制することができる。また、温度センサ５０を保持する嵌合凹部６５Ａを有することから、温度センサ５０を温度センサカバー６０に対して位置決めすることができる。
【００２５】
なお、温度センサカバー６０の通気孔６１Ａは、カバー上壁部６２に形成されていてもよい。しかしながら、通気孔６１Ａをカバー本体部６１に形成すればカバー上壁部６２に通気孔を設ける必要がないから、食材の汁などをカバー上壁部６２によって確実に受けることができ、温度センサ５０をより確実に保護することができる。
【００２６】
また、嵌合凹部６５Ａに温度センサ５０を嵌合させた後、温度センサカバー６０を冷却器カバー３０に取り付けることで、リブ６５と冷却器カバー３０（格子部３４）との間に温度センサ５０を挟持することができる。温度センサ５０をより確実に固定することができ、貯蔵室１２内の温度検知をより確実に行うことができる。
【００２７】
また、一対の係止爪６３，６４を備えることで、温度センサカバー６０を冷却器カバー３０に対して容易に取り付けることができる。また、温度センサ５０から引き出された配線５１が、挿通孔６１Ｂに挿通された結束バンド６６によって温度センサカバー６０に対して結束されている。これにより、配線５１を温度センサカバー６０に固定した状態で、温度センサカバー６０を冷却器カバー３０に取り付けることができる。
【００２８】
＜他の実施形態＞
本発明は上記記述及び図面によって説明した実施形態に限定されるものではなく、例えば次のような実施形態も本発明の技術的範囲に含まれる。
（１）上記実施形態では、冷却貯蔵庫として、冷蔵用のショーケースを例示したが、これに限定されない。例えば、ショーケース以外の冷却貯蔵庫であってもよい。また、冷蔵機能に加えて、加熱や温蔵などの機能を備えていてもよい。
（２）上記実施形態では、貯蔵室の下方に冷却器室が配される構成を例示したが、これに限定されない。例えば、貯蔵室と冷却器室が水平方向に沿って並んでいる構成であってもよい。
（３）上記実施形態では、温度センサ５０を保持する保持部として、嵌合凹部６５Ａを例示したが、これに限定されない。保持部は、例えば、温度センサ５０に係止する係止爪などであってもよい。
【符号の説明】
【００２９】
１０…ショーケース（冷却貯蔵庫）、１１…箱体、１２…貯蔵室、１３…冷却器室、２１…冷却器、３０…冷却器カバー、３２Ａ…吸込口、５０…温度センサ、５１…配線、６０…温度センサカバー、６１…カバー本体部、６１Ａ…通気孔、６１Ｂ…挿通孔、６３，６４…係止爪、６５…リブ、６５Ａ…嵌合凹部（保持部）、６６…結束バンド
【図１】
2018204836.tif 000003
【図２】
2018204836.tif 000004
【図３】
2018204836.tif 000005
【図４】
2018204836.tif 000006
【図５】
2018204836.tif 000007
【図６】
2018204836.tif 000008
【図７】
2018204836.tif 000009
【図８】
2018204836.tif 000010